(57)【要約】【課題】画像のサイズなどに応じた、適切な印刷品質を保証して印刷すること。【解決手段】印刷される画像のサイズに基づいてあらかじめ定められた複数の基準解像度を記憶する基準解像度記憶部３００と、印刷の対象とする画像を拡大して印刷する際の、画像のサイズに関する情報の入力を受け付ける画像サイズ入力部３０１と、印刷の対象とする画像を入力された画像のサイズにした場合の当該画像の解像度を算出する解像度算出部３０２と、解像度算出部３０２によって算出された解像度と、複数の基準解像度のうち、画像サイズ入力部３０１によって入力された画像のサイズに対応する基準解像度（対応基準解像度）と、を比較する解像度比較部３０３と、解像度比較部３０３によって比較された結果、解像度算出部３０２によって算出された解像度が、対応基準解像度を下回る場合に、操作者に対して告知する告知部３０４と、を備える。【選択図】        図３−１
2007065720.tif 000002
【特許請求の範囲】
【請求項１】
印刷される画像のサイズに基づいてあらかじめ定められた複数の基準解像度を記憶する基準解像度記憶手段と、
印刷の対象とする画像を拡大して印刷する際の、画像のサイズに関する情報の入力を受け付けるサイズ入力手段と、
前記印刷の対象とする画像を前記入力された画像のサイズにした場合の当該画像の解像度を算出する算出手段と、
前記算出手段によって算出された解像度と、前記複数の基準解像度のうち、前記サイズ入力手段によって入力された画像のサイズに対応する基準解像度（以下「対応基準解像度」という）と、を比較する比較手段と、
前記比較手段によって比較された結果、前記算出手段によって算出された解像度が、前記対応基準解像度を下回る場合に、操作者に対して告知する告知手段と、
を備えたことを特徴とする印刷情報処理装置。
【請求項２】
前記基準解像度記憶手段は、同一の画像のサイズごとに、さらに印刷用紙の種類に基づいてあらかじめ定められた複数の基準解像度を記憶し、
前記比較手段は、前記算出手段によって算出された解像度と、画像のサイズおよび印刷用紙の種類に対応する基準解像度（以下「対応基準解像度」という）と、を比較することを特徴とする請求項１に記載の印刷情報処理装置。
【請求項３】
前記基準解像度記憶手段は、同一の画像のサイズごとに、さらに当該画像の内容に基づいてあらかじめ定められた複数の基準解像度を記憶し、
前記比較手段は、前記算出手段によって算出された解像度と、画像のサイズおよび画像の内容に対応する基準解像度（以下「対応基準解像度」という）と、を比較することを特徴とする請求項１または２に記載の印刷情報処理装置。
【請求項４】
前記基準解像度記憶手段は、同一の画像のサイズごとに、さらに当該画像の生成工程に基づいてあらかじめ定められた複数の基準解像度を記憶し、
前記比較手段は、前記算出手段によって算出された解像度と、画像のサイズおよび撮影装置の種類に対応する基準解像度（以下「対応基準解像度」という）と、を比較することを特徴とする請求項１〜３のいずれか一つに記載の印刷情報処理装置。
【請求項５】
印刷される画像のサイズに基づいてあらかじめ定められた複数の基準解像度を記憶する基準解像度記憶手段と、
印刷の対象とする画像を拡大して印刷する際の、印刷用紙のサイズに関する情報の入力を受け付けるサイズ入力手段と、
前記印刷の対象とする画像を前記入力された印刷用紙のサイズにした場合の当該画像の解像度を算出する算出手段と、
前記算出手段によって算出された解像度と、前記複数の基準解像度のうち、前記サイズ入力手段によって入力された印刷用紙のサイズに対応する基準解像度（以下「対応基準解像度」という）と、を比較する比較手段と、
前記比較手段によって比較された結果、前記算出手段によって算出された解像度が、前記対応基準解像度を下回る場合に、操作者に対して告知する告知手段と、
を備えたことを特徴とする印刷情報処理装置。
【請求項６】
前記基準解像度記憶手段は、同一の印刷用紙のサイズごとに、さらに印刷用紙の種類に基づいてあらかじめ定められた複数の基準解像度を記憶し、
前記比較手段は、前記算出手段によって算出された解像度と、印刷用紙のサイズおよび印刷用紙の種類に対応する基準解像度（以下「対応基準解像度」という）と、を比較することを特徴とする請求項５に記載の印刷情報処理装置。
【請求項７】
前記基準解像度記憶手段は、同一の印刷用紙のサイズごとに、さらに当該画像の内容に基づいてあらかじめ定められた複数の基準解像度を記憶し、
前記比較手段は、前記算出手段によって算出された解像度と、印刷用紙のサイズおよび画像の内容に対応する基準解像度（以下「対応基準解像度」という）と、を比較することを特徴とする請求項１または２に記載の印刷情報処理装置。
【請求項８】
前記基準解像度記憶手段は、同一の印刷用紙のサイズごとに、さらに当該画像の生成工程に基づいてあらかじめ定められた複数の基準解像度を記憶し、
前記比較手段は、前記算出手段によって算出された解像度と、印刷用紙のサイズおよび撮影装置の種類に対応する基準解像度（以下「対応基準解像度」という）と、を比較することを特徴とする請求項１〜３のいずれか一つに記載の印刷情報処理装置。
【請求項９】
前記基準解像度を変更する変更手段を備え、
前記基準解像度記憶手段は、前記変更手段によって変更された基準解像度を記憶することを特徴とする請求項１〜８のいずれか一つに記載の印刷情報処理装置。
【請求項１０】
印刷の対象とする画像を拡大して印刷する際の、画像のサイズの入力を受け付けるサイズ入力工程と、
前記印刷の対象とする画像を前記入力された画像のサイズにした場合の当該画像の解像度を算出する算出工程と、
前記算出工程によって算出された解像度と、印刷される画像のサイズに基づいてあらかじめ定められた複数の基準解像度のうち、前記入力工程によって入力された画像のサイズに対応する基準解像度（以下「対応基準解像度」という）と、を比較する比較工程と、
前記比較工程によって比較された結果、前記算出工程によって算出された解像度が、前記対応基準解像度を下回る場合に、操作者に対して告知する告知工程と、
を含んだことを特徴とする印刷情報処理方法。
【請求項１１】
請求項１０に記載の印刷情報処理方法の各工程をコンピュータに実行させることを特徴とする印刷情報処理プログラム。
【発明の詳細な説明】
【技術分野】
【０００１】
本発明は、画像を印刷する印刷情報処理装置、印刷情報処理方法および印刷情報処理プログラムに関する。
【背景技術】
【０００２】
近年、たとえばデジタルカメラなどの撮影装置で撮影した画像に対し、適宜編集処理などを施して印刷出力することができる種々の印刷装置が普及してきている。そして、今日においては、これらの印刷装置のうち印刷情報処理装置として、たとえば撮影した画像を、あらかじめ設定されたポストカードやアルバムなどの形態にレイアウト編集することができるテンプレートを用いた種々の印刷サービスによって加工するとともに、これらの印刷サービスによる印刷条件の設定情報などを含む印刷ジョブを作成する印刷ジョブ作成装置が提供されている。この印刷ジョブ作成装置では、作成された印刷ジョブに基づいて、たとえば複数の印刷出力装置が備えられた写真店の店頭などにおいて、加工された画像を任意に選ばれた印刷出力装置によって簡単に印刷出力することができる。
【０００３】
また、インターネットを介した印刷サービスを利用する場合に、ユーザが印刷指示を完了する前に印刷を希望する画像データがユーザが所望とする印刷品質を維持できる出力要件を満たしているか知ることができる仕組みを提供する。すなわち、インターネットを介してクライアントから発行される印刷オーダに基づいて、印刷サービスを提供する印刷管理装置において、印刷オーダで指定される画像データの表示要件と、印刷オーダで指定される印刷物の出力要件とを取得し、取得される画像データの表示要件と印刷物の出力要件とに基づいて、該画像データが印刷オーダで指定された印刷に適するか否かを判断するものがある（たとえば、特許文献１参照。）。
【０００４】
【特許文献１】特開２００３−１３１８５５号公報
【発明の開示】
【発明が解決しようとする課題】
【０００５】
しかしながら、上記従来技術の印刷ジョブ作成装置では、たとえば、画像の拡大印刷加工をする場合に、拡大の倍率によっては、画像の印刷品質の低下を招き、ユーザが満足しない結果となってしまう場合があり、結果として、印刷のやり直しをすることになる。それに伴って、用紙やインクの無駄が生じ、その無駄なコストおよび作業時間の負担が問題となっていた。
【０００６】
また、上記特許文献１では、全体の画像のサイズにかかわらず、たとえば必要画素数の７０％以上あれば品質を保証できると判断する（たとえば段落［００５１］参照。）ようにしている。したがって、上記特許文献１は、画像のサイズを考慮しておらず、比較的大きな画像では、比較的小さな画像に比べて解像度が低くても見た目の印刷画質は低下しないにもかかわらず、必要以上に高い解像度が要求されることになり、ユーザに対して適切な警告になっていないという問題があった。
【０００７】
本発明は、上記課題を解決するためになされたものであり、画像のサイズなどに応じた、適切な印刷品質を保証して印刷することが可能な印刷情報処理装置、印刷情報処理方法および印刷情報処理プログラムを提供することを目的とする。
【課題を解決するための手段】
【０００８】
上記課題を解決するために、本発明にかかる印刷情報処理装置は、印刷される画像のサイズに基づいてあらかじめ定められた複数の基準解像度を記憶する基準解像度記憶手段と、印刷の対象とする画像を拡大して印刷する際の、画像のサイズに関する情報の入力を受け付けるサイズ入力手段と、前記印刷の対象とする画像を前記入力された画像のサイズにした場合の当該画像の解像度を算出する算出手段と、前記算出手段によって算出された解像度と、前記複数の基準解像度のうち、前記サイズ入力手段によって入力された画像のサイズに対応する基準解像度（以下「対応基準解像度」という）と、を比較する比較手段と、前記比較手段によって比較された結果、前記算出手段によって算出された解像度が、前記対応基準解像度を下回る場合に、操作者に対して告知する告知手段と、を備えたことを特徴とする。
【０００９】
また、本発明にかかる印刷情報処理装置は、上記発明において、前記基準解像度記憶手段が、同一の画像のサイズごとに、さらに印刷用紙の種類に基づいてあらかじめ定められた複数の基準解像度を記憶し、前記比較手段が、前記算出手段によって算出された解像度と、画像のサイズおよび印刷用紙の種類に対応する基準解像度（以下「対応基準解像度」という）と、を比較することを特徴とする。
【００１０】
また、本発明にかかる印刷情報処理装置は、上記発明において、前記基準解像度記憶手段が、同一の画像のサイズごとに、さらに当該画像の内容に基づいてあらかじめ定められた複数の基準解像度を記憶し、前記比較手段が、前記算出手段によって算出された解像度と、画像のサイズおよび画像の内容に対応する基準解像度（以下「対応基準解像度」という）と、を比較することを特徴とする。
【００１１】
また、本発明にかかる印刷情報処理装置は、上記発明において、前記基準解像度記憶手段が、同一の画像のサイズごとに、さらに当該画像の生成工程に基づいてあらかじめ定められた複数の基準解像度を記憶し、前記比較手段が、前記算出手段によって算出された解像度と、画像のサイズおよび撮影装置の種類に対応する基準解像度（以下「対応基準解像度」という）と、を比較することを特徴とする。
【００１２】
また、本発明にかかる印刷情報処理装置は、印刷される画像のサイズに基づいてあらかじめ定められた複数の基準解像度を記憶する基準解像度記憶手段と、印刷の対象とする画像を拡大して印刷する際の、印刷用紙のサイズに関する情報の入力を受け付けるサイズ入力手段と、前記印刷の対象とする画像を前記入力された印刷用紙のサイズにした場合の当該画像の解像度を算出する算出手段と、前記算出手段によって算出された解像度と、前記複数の基準解像度のうち、前記サイズ入力手段によって入力された印刷用紙のサイズに対応する基準解像度（以下「対応基準解像度」という）と、を比較する比較手段と、前記比較手段によって比較された結果、前記算出手段によって算出された解像度が、前記対応基準解像度を下回る場合に、操作者に対して告知する告知手段と、を備えたことを特徴とする。
【００１３】
また、本発明にかかる印刷情報処理装置は、上記発明において、前記基準解像度記憶手段が、同一の印刷用紙のサイズごとに、さらに印刷用紙の種類に基づいてあらかじめ定められた複数の基準解像度を記憶し、前記比較手段が、前記算出手段によって算出された解像度と、印刷用紙のサイズおよび印刷用紙の種類に対応する基準解像度（以下「対応基準解像度」という）と、を比較することを特徴とする。
【００１４】
また、本発明にかかる印刷情報処理装置は、上記発明において、前記基準解像度記憶手段が、同一の印刷用紙のサイズごとに、さらに当該画像の内容に基づいてあらかじめ定められた複数の基準解像度を記憶し、前記比較手段が、前記算出手段によって算出された解像度と、印刷用紙のサイズおよび画像の内容に対応する基準解像度（以下「対応基準解像度」という）と、を比較することを特徴とする。
【００１５】
また、本発明にかかる印刷情報処理装置は、上記発明において、前記基準解像度記憶手段が、同一の印刷用紙のサイズごとに、さらに当該画像の生成工程に基づいてあらかじめ定められた複数の基準解像度を記憶し、前記比較手段が、前記算出手段によって算出された解像度と、印刷用紙のサイズおよび撮影装置の種類に対応する基準解像度（以下「対応基準解像度」という）と、を比較することを特徴とする。
【００１６】
また、本発明にかかる印刷情報処理装置は、上記発明において、前記基準解像度を変更する変更手段を備え、前記基準解像度記憶手段が、前記変更手段によって変更された基準解像度を記憶することを特徴とする。
【００１７】
また、本発明にかかる印刷情報処理方法は、印刷の対象とする画像を拡大して印刷する際の、画像のサイズの入力を受け付けるサイズ入力工程と、前記印刷の対象とする画像を前記入力された画像のサイズにした場合の当該画像の解像度を算出する算出工程と、前記算出工程によって算出された解像度と、印刷される画像のサイズに基づいてあらかじめ定められた複数の基準解像度のうち、前記入力工程によって入力された画像のサイズに対応する基準解像度（以下「対応基準解像度」という）と、を比較する比較工程と、前記比較工程によって比較された結果、前記算出工程によって算出された解像度が、前記対応基準解像度を下回る場合に、操作者に対して告知する告知工程と、を含んだことを特徴とする。
【００１８】
このような発明によって、画像の加工印刷をする場合に、印刷品質が低下した無駄な印刷をすることなく、画像のサイズなどに応じた、適切な印刷品質を保証して印刷することが可能となる。
【００１９】
また、本発明にかかる印刷情報処理プログラムは、上述した印刷情報処理方法をコンピュータに実行させることを特徴とする。
【００２０】
このため、本発明の印刷情報処理プログラムを実行することにより、上述した印刷情報処理方法によって得られる動作がコンピュータによって実現される。これにより、上述した印刷情報処理方法の実現によって得られる各種効果を奏することができる。
【発明を実施するための最良の形態】
【００２１】
以下に添付図面を参照して、本発明にかかる印刷情報処理装置、印刷情報処理方法および印刷情報処理プログラムの好適な実施の形態を詳細に説明する。
【００２２】
（実施の形態）
（印刷情報処理装置を備える印刷システムの概略構成）
図１は、本実施の形態における印刷情報処理装置を備える印刷システムの概略構成の一例を示す構成図である。図１に示すように、印刷システム１００は、たとえば店舗などに適用され、本実施の形態における複数台の印刷情報処理装置１２０ａ，１２０ｂを備え、これら複数の印刷情報処理装置１２０ａ，１２０ｂは、ローカルネットワーク１１１を介してレーザやインクジェットなどの方式を採用するプリンタ１１４と接続されている。また、ローカルネットワーク１１１は、ファイアウォール１１３を介してグローバルネットワーク１１２と接続されている。
【００２３】
（印刷情報処理装置を備える大規模印刷システムの概略構成）
図２は、本実施の形態における印刷情報処理装置を備える大規模印刷システムの概略構成の一例を示す構成図である。図２に示すように、大規模印刷システム２００は、上述した印刷システム１００と、この印刷システム１００と同規模の印刷システム１１０とを、グローバルネットワーク１１２を介して接続し、さらにこのグローバルネットワーク１１２に印刷ジョブ管理装置２２０を接続した構成からなる。
【００２４】
印刷システム１１０は、印刷システム１００と同様に、たとえば店舗などに適用され、本実施の形態における印刷情報処理装置１２０ｃを備え、この印刷情報処理装置１２０ｃは、ローカルネットワーク２１１を介してレーザやインクジェットなどの方式を採用するプリンタ２１４および大判印刷などが可能な大型プリンタ２１５と接続されている。また、ローカルネットワーク２１１は、ファイアウォール２１３を介してグローバルネットワーク１１２と接続されている。
【００２５】
したがって、大規模印刷システム２００は、たとえばある店舗に構築された印刷システム１００と、他の店舗に構築された印刷システム１１０とをグローバルネットワーク１１２を介してそれぞれ接続した構造からなる。ここで、たとえば印刷システム１００を印刷サービスを受け付ける写真店とし、印刷システム１１０を印刷サービスに伴う印刷をおこなうプリントショップとした場合は、印刷システム１００における印刷情報処理装置１２０ａ，１２０ｂが後述するアプリケーション部の機能を実現し、印刷システム１１０における印刷情報処理装置１２０ｃが後述する印刷ドライバ部の機能を実現するように構成することができる。
【００２６】
この他、後述するようにそれぞれの印刷情報処理装置１２０ａ〜１２０ｃ内において、上記アプリケーション部および印刷ドライバ部の機能を実現するように構成してもよい。なお、以降において、複数台の印刷情報処理装置１２０ａ，１２０ｂ，１２０ｃは同一構成の装置とし、特に明示しない場合は印刷情報処理装置１２０と総称する。
【００２７】
ここで、大規模印刷システム２００における印刷システム１００のプリンタ１１４や、印刷システム１１０のプリンタ２１４は、たとえば定型Ａ４サイズまでの用紙サイズを用いて高品質なカラー印刷が可能なプリンタとして構成されており、印刷システム１１０の大型プリンタ２１５は、たとえば定型Ａ１サイズを超える用紙サイズを用いて高品質なカラー印刷が可能なプリンタとして構成されている。
【００２８】
印刷ジョブ管理装置２２０は、各印刷情報処理装置１２０ａ〜１２０ｃから送信された印刷ジョブのファイルの入力を受け付けるとともに、各印刷情報処理装置１２０ａ〜１２０ｃに対して印刷ジョブのファイルを送信するための管理サーバとして構成されている。この印刷ジョブ管理装置２２０の内部構成および内部処理については、公知の技術と同様であるため、ここでは説明および図示を省略する。
【００２９】
（印刷情報処理装置の機能的構成）
図３−１は、本実施の形態の印刷情報処理装置の機能的構成の一例を示す説明図である。なお、本実施の形態の印刷情報処理装置１２０は、たとえばアプリケーションとしての図示しない印刷情報処理プログラムおよび印刷ドライバがインストールされた一般的なパーソナルコンピュータとして構成されており、印刷情報処理プログラムが実行されたときに印刷情報処理装置として機能する。
【００３０】
図３−１に示すように、印刷情報処理装置１２０は、基準解像度記憶部３００と、画像サイズ入力部３０１と、解像度算出部３０２と、解像度比較部３０３と、告知部３０４と、基準解像度変更部３０５と、を含む構成となっている。
【００３１】
基準解像度記憶部３００は、印刷される画像のサイズに基づいてあらかじめ定められた複数の基準解像度を記憶する。基準解像度とは、見た目の画像の品質を低下させない解像度の閾値を示している。具体的には、たとえば、比較的大きなプリント（たとえばＡ３ノビサイズよりも大きいサイズの画像）の場合には、基準解像度を７０ｄｐｉ（ｄｏｔ  ｐｅｒ  ｉｎｃｈ）とし、比較的小さなプリント（たとえばＡ３ノビサイズ以下の場合は、基準解像度を１３０ｄｐｉとし、Ｌ判のプリントでは基準解像度を３６０ｄｐｉ）として記憶する。
【００３２】
ここで、解像度とは、１インチ当たりの画素数を示し、たとえば、解像度が７０ｄｐｉの画像であれば、１インチ当たり７０画素によって構成されていることを示し、また、解像度が１３０ｄｐｉの画像であれば、１インチ当たり１３０画素によって構成されていることを示し、また、解像度が３６０ｄｐｉの画像であれば、１インチ当たり３６０画素によって構成されていることを示す。
【００３３】
比較的小さな画像の方が大きな画像よりも基準解像度を高く設定するのは、小さな画像は、通常手に持って見ることが考えられる一方、比較的大きな画像は、画像全体を視野に入れるために、手に持って見るというよりは、壁などに貼り付けて離れたところから見るのが一般的だからである。したがって、比較的大きなサイズの画像は、離れたところから見る分、解像度は高くなくても画質の劣化を感じさせない。このように、画像のサイズによって、それぞれ別の基準解像度を設けることによって、画像サイズごとに最適な解像度の画像が印刷できるようにしている。
【００３４】
また、基準解像度記憶部３００は、画像のサイズごとに複数の基準解像度を記憶するだけでなく、同一の画像のサイズごとに、さらに印刷用紙の種類に基づいてあらかじめ定められた複数の基準解像度を記憶するようにしてもよい。具体的には、たとえば、比較的小さなプリントにおいて、普通紙では１３０ｄｐｉとし、写真紙では１５０ｄｐｉとすることができる。これによって、選択された印刷用紙によって、画像の品質の要求を認識し、その要求に応じることができる。
【００３５】
また、基準解像度記憶部３００は、画像のサイズ（または印刷用紙の種類）ごとに複数の基準解像度を記憶するだけでなく、画像の内容に基づいてあらかじめ定められた複数の基準解像度を記憶するようにしてもよい。具体的には、たとえば、写真画像である否かを判断して、写真画像である場合はそうでない場合（たとえばアニメなどの画像）に比べて、解像度を高くすることができる。
【００３６】
また、基準解像度記憶部３００は、さらに、画像のサイズ（または印刷用紙の種類、画像の内容）ごとに複数の基準解像度を記憶するだけでなく、当該画像の生成工程に基づいてあらかじめ定められた複数の基準解像度を記憶するようにしてもよい。具体的には、たとえば、スキャナで取り込まれた画像と、デジタルカメラで取り込まれた画像で、異なる基準解像度としてもよく、デジタルカメラにおいても、その種類（たとえば性能や製造メーカの違いなど）によって、異なる基準解像度としてもよい。このように、基準解像度をより細分化することによって、より最適な画像の印刷が可能となる。
【００３７】
画像サイズ入力部３０１は、印刷の対象とする画像を拡大して印刷する際の、画像のサイズに関する情報の入力を受け付ける。画像のサイズは、あらかじめ登録した複数のテンプレートを用いることができ、このテンプレートを用いた場合は、当該テンプレートが選択された時点で、画像のサイズに関する情報が入力されることになる。
【００３８】
解像度算出部３０２は、印刷の対象とする画像（原画像）を入力された画像のサイズにした場合の当該画像の解像度を算出する。具体的には、たとえば、原画像の短辺（または長辺）の画素数を取得し、取得された画素数を、入力された画像の短辺（または長辺）の長さ（インチ）で除算して、解像度（１インチ当たりの画素数）を算出する。また、上記算出された解像度と原画像の解像度と比較して、算出された解像度が低くなっている場合に、拡大印刷指示であると判断するようにしてもよい。上記テンプレートを用いる場合は、原画像がテンプレートに配置された時点で、解像度の算出をおこなうようにするとよい。
【００３９】
解像度比較部３０３は、解像度算出部３０２によって算出された解像度と、複数の基準解像度のうち、画像サイズ入力部３０１によって入力された画像のサイズに対応する（すなわち、画像のサイズ、用紙の種類、画像の内容、画像の生成工程が一致または類似する）対応基準解像度と、を比較する。
【００４０】
告知部３０４は、解像度比較部３０３によって比較された結果、解像度算出部３０２によって算出された解像度が、対応基準解像度を下回る場合に、操作者（ユーザ）に対して告知する。告知の方法としては、後述する図４に示すディスプレイ４０８に警告画面（たとえば、後述する図６の警告画面６００）を表示する。あるいは、図示を省略するスピーカより警告音などを出力するようにしてもよく、警告画面の表示と警告音などの出力を同時におこなうようにしてもよい。
【００４１】
基準解像度変更部３０５は、基準解像度記憶部３００に記憶された基準解像度を、操作者の指示によって、あるいは、画像の印刷処理によって、変更する。その際、基準解像度記憶部３００は、基準解像度変更部３０５によって変更された基準解像度を記憶（更新）する。また、各基準解像度のデフォルト値や変更履歴もあわせて記憶するようにしてもよい。
【００４２】
図３−２は、本実施の形態の印刷情報処理装置の機能的構成の別の一例を示す説明図である。なお、本実施の形態の印刷情報処理装置１２０は、たとえばアプリケーションとしての図示しない印刷情報処理プログラムおよび印刷ドライバがインストールされた一般的なパーソナルコンピュータとして構成されており、印刷情報処理プログラムが実行されたときに印刷情報処理装置として機能する。
【００４３】
図３−２に示すように、印刷情報処理装置１２０は、基準解像度記憶部３１０と、印刷用紙サイズ入力部３１１と、解像度算出部３１２と、解像度比較部３１３と、告知部３１４と、基準解像度変更部３１５と、を含む構成となっている。
【００４４】
印刷用紙サイズ入力部３１１は、印刷の対象とする画像を拡大して印刷する際の、印刷用紙のサイズに関する情報の入力を受け付ける。印刷用紙のサイズは、あらかじめ登録した複数のテンプレートを用いることができ、このテンプレートを用いた場合は、当該テンプレートが選択された時点で、印刷用紙のサイズに関する情報が入力されることになる。通常、印刷用紙サイズが決まると画像サイズが一意的に決まることがあり、その場合には、画像サイズを入力することと印刷用紙サイズを入力することは同義となる。印刷用紙サイズを入力する場合、たとえば、「Ａ３判ノビ」、写真サイズにおける「Ｌ判」などと称して入力することができる。
【００４５】
解像度算出部３１２は、印刷の対象とする画像（原画像）を入力された印刷用紙のサイズにした場合の当該画像の解像度を算出する。具体的には、たとえば、原画像の短辺（または長辺）の画素数を取得し、取得された画素数を、入力された印刷用紙サイズから（渕部分などを勘案して）想定される画像の短辺（または長辺）の長さ（インチ）で除算して、解像度（１インチ当たりの画素数）を算出する。また、上記算出された解像度と原画像の解像度とを比較して、算出された解像度が低くなっている場合に、拡大印刷指示であると判断するようにしてもよい。上記テンプレートを用いる場合は、原画像がテンプレートに配置された時点で、解像度の算出をおこなうようにするとよい。
【００４６】
基準解像度記憶部３１０、解像度比較部３１３、告知部３１４、基準解像度変更部３１５は、それぞれ、図３−１に示した、基準解像度記憶部３００、解像度比較部３０３、告知部３０４、基準解像度変更部３０５と同一の構成であるので、その説明は省略する。
【００４７】
（印刷情報処理装置のハードウェア構成）
図４は、本実施の形態の印刷情報処理装置のハードウェア構成の一例を示す説明図である。ここでは、テンプレートに関連付けられた識別子を用いて印刷情報処理をおこなう場合について説明する。なお、以降において、既に説明した部分と重複する箇所は同一の符号を付して説明を省略する。
【００４８】
本実施の形態における印刷情報処理装置１２０は、ＣＰＵ４０１と、ＲＯＭ４０２と、ＲＡＭ４０３と、ＨＤＤ（ハードディスクドライブ）４０４と、ＨＤ（ハードディスク）４０５と、ＦＤＤ（フレキシブルディスクドライブ）４０６と、ＦＤ（フレキシブルディスク）４０７と、ディスプレイ４０８とを備えて構成されている。
【００４９】
また、印刷情報処理装置１２０は、インタフェース（Ｉ／Ｆ）４０９と、キーボード４１１と、マウス４１２と、スキャナ４１３と、光ディスク４１４と、光ディスクドライブ４１５とを備えている。なお、上記各構成部４０１〜４１５は、バス４００によってそれぞれ接続されている。
【００５０】
ＣＰＵ（Ｃｅｎｔｒａｌ  Ｐｒｏｃｅｓｓｉｎｇ  Ｕｎｉｔ）４０１は、所定の演算処理を実行し、この印刷情報処理装置１２０の全体を制御するとともに、前述の解像度算出部３０２、解像度比較部３０３、告知部３０４、基準解像度変更部３０５の各機能を実現する。ＲＯＭ（Ｒｅａｄ  Ｏｎｌｙ  Ｍｅｍｏｒｙ）４０２は、各種制御プログラムを格納する。なお、各種制御プログラムは、ＲＯＭ４０２の他に後述するＨＤ４０５などの記憶装置（記録媒体）に格納されていてもよい。このＲＯＭ４０２に格納されたデータは、操作者（ユーザ）の操作によって書き換えることは可能であるが、電源ＯＦＦによって消去されることはないものとする。
【００５１】
ＣＰＵ４０１は、たとえば本実施の形態の印刷情報処理プログラムに基づいて、後述する光ディスクドライブ４１５を介して光ディスク４１４から識別子が関連付けられたテンプレートを取得するとともに識別子の入力を受け付け、この識別子に基づいて後述するＨＤ４０５に格納された用紙情報を読み出して、この用紙情報が定義する用紙サイズを印刷ドライバ（図示を省略）に対して出力する。
【００５２】
また、ＣＰＵ４０１は、取得したテンプレートに関連付けられた識別子と、この識別子に対応付けられた用紙情報とを、たとえば後述するＩ／Ｆ４０９を介して外部のサーバ（たとえば図２に示した印刷ジョブ管理装置２２０）などから取得する。そして、ＣＰＵ４０１は、テンプレートに関連付けられた識別子と、外部のサーバなどから取得した用紙情報とを対応付け、たとえばＨＤＤ４０４を制御してＨＤ４０５に対して書き込み更新をおこなう。
【００５３】
さらに、ＣＰＵ４０１は、たとえば上記印刷ドライバが管理するプリンタ１１４（図１参照、以下同じ）の印刷情報を取得し、取得した印刷情報および識別子に対応付けられた用紙情報に基づいて、プリンタ１１４によって印刷可能な用紙サイズを識別するための識別情報を生成する。また、ＣＰＵ４０１は、生成された用紙サイズの識別情報を用いて、印刷に際して選択可能なプリンタ１１４を後述するディスプレイ４０８の表示画面上に表示させるとともに、各種情報をディスプレイ４０８に表示させる。
【００５４】
その他、ＣＰＵ４０１は、たとえば後述する大伸ばし印刷サービスやポスタープリント印刷サービスなどの複数の印刷サービスから選択された印刷サービスについて、プリンタ１１４による印刷出力を実行するための印刷ジョブを生成し、この印刷ジョブに基づいてプリンタ１１４を制御して印刷出力をおこなう。
【００５５】
このように、ＣＰＵ４０１によって、図３−１に示した画像サイズ入力部３０１または図３−２に示した印刷用紙サイズ入力部３１１の機能を実現するとともに上記印刷ドライバの機能を実現する。
【００５６】
また、上述したように、ＣＰＵ４０１によって、ＨＤ４０５に格納された識別子および用紙情報の更新をおこなってもよいし、印刷可能な用紙サイズの識別情報を生成する識別情報生成手段およびディスプレイ４０８に各種情報を表示させる表示制御手段の各機能を実現してもよい。
【００５７】
ＲＡＭ（Ｒａｎｄｏｍ  Ａｃｃｅｓｓ  Ｍｅｍｏｒｙ）４０３は、可変的なデータを書き換え自在に記憶し、ＣＰＵ４０１のワークエリアとして機能する。このＲＡＭ４０３は、電源ＯＦＦによって記憶されたデータが消去される揮発性のメモリであってもよいし、バッテリなどによってバックアップされることによる不揮発性のメモリとしてもよい。ＲＡＭ４０３は、たとえばテンプレートや用紙情報などの各種情報を一時的あるいは恒久的に記憶してもよい。
【００５８】
ＨＤＤ４０４は、ＣＰＵ４０１の制御命令にしたがって、ＨＤ４０５に対する情報の読み取り／書き込みの制御をおこなう。なお、印刷情報処理プログラムが、たとえばＭＯ（Ｍａｇｎｅｔｏ−Ｏｐｔｉｃａｌ  ｄｉｓｋ）やメモリカードなどに記録されている場合は、ＨＤＤ４０４に代えて、あるいはＨＤＤ４０４とともに、これらに記録された情報の少なくとも読み取りが可能な専用のドライブ装置を用いることができる。
【００５９】
ＨＤ４０５は、各種制御プログラムや各種情報を、たとえばＣＰＵ４０１に読み取り可能に記録する。ＨＤ４０５は、ＨＤＤ４０４による情報の書き込みを受け付けるとともに、書き込まれた情報を不揮発に記録する。このＨＤ４０５には、印刷情報処理プログラムとともに、印刷情報処理プログラムの実行に際して必要な各種情報が記録されている。したがって、図３−１および図３−２に示す基準解像度記憶部３００、３１０は、ＨＤ４０５によってその機能を実現する。
【００６０】
なお、印刷情報処理プログラムは、ＨＤ４０５に記録されているものには限られない。ＨＤ４０５に代えて、上述したＭＯ、メモリカード、あるいは後述する光ディスク（ＤＶＤ、ＣＤ、ＣＤ−ＲＯＭ（ＣＤ−Ｒ、ＣＤ−ＲＷ））４１４などに印刷情報処理プログラムが記録されていてもよい。たとえば光ディスク４１４に記録された印刷情報処理プログラムを用いる場合、この印刷情報処理装置１２０では、光ディスク４１４に記録された情報の少なくとも読み取りが可能な後述する光ディスクドライブ４１５によって印刷情報処理プログラムがＣＰＵ４０１に読み込まれる。
【００６１】
また、ＨＤ４０５には、たとえばプリンタ１１４の印刷情報の管理や駆動制御をするための印刷ドライバが格納されていてもよい。この印刷ドライバは、ローカルネットワーク１１１を介してプリンタ１１４を動作させるための処理をおこない、印刷情報処理装置１２０とプリンタ１１４との橋渡し的役割を担う。なお、これに限らず、印刷ドライバを、たとえばファームウェアによって構成したり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成したりしてもよい。
【００６２】
ＦＤＤ４０６は、ＣＰＵ４０１の制御命令にしたがって、ＦＤ４０７に対する情報の読み取り／書き込みの制御をおこなう。ＦＤ４０７は、ＦＤＤ４０６による情報の書き込みを受け付けるとともに、書き込まれた情報を不揮発に記録する着脱自在な記録媒体である。
【００６３】
ディスプレイ４０８は、たとえばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどのディスプレイ装置によって構成される。このディスプレイ４０８は、具体的には、たとえば図示しない映像Ｉ／Ｆや映像Ｉ／Ｆに接続された映像表示用のディスプレイ装置によって構成することができる。
【００６４】
ディスプレイ４０８には、アイコン、カーソル、メニュー、ウィンドウ、あるいは文字や画像などの各種情報が表示される。具体的には、ディスプレイ４０８には、たとえば印刷情報処理装置１２０によっておこなわれる印刷サービスやこの印刷サービスに伴う各種機能の環境設定などの選択画面が表示される。
【００６５】
Ｉ／Ｆ４０９は、たとえば通信ケーブル４１０を介してローカルネットワーク１１１に接続され、このローカルネットワーク１１１とＣＰＵ４０１との間のインタフェースとして機能するネットワークボードによって構成される。そして、Ｉ／Ｆ４０９は、ローカルネットワーク１１１を介して他の印刷情報処理装置１２０や他の機器との間で各種情報の送受信をおこなう。このＩ／Ｆ４０９は、その他、たとえばメモリカードなどのスロット部や無線通信をおこなう通信モジュールなどによって構成されていてもよい。
【００６６】
ここで、このＩ／Ｆ４０９における各種情報の送受信は、たとえば有線、無線を問わずにおこなわれてもよく、本実施の形態の印刷情報処理装置１２０では、具体的にはＣＰＵ４０１の制御命令にしたがって、ローカルネットワーク１１１を介して接続されたグローバルネットワーク１１２（図１参照、以下同じ）上の外部のサーバから送信された用紙情報を受信し、受信した用紙情報をＣＰＵ４０１に対して送信する。したがって、Ｉ／Ｆ４０９は、用紙情報を取得する用紙情報取得手段の機能を実現する。なお、用紙情報は、後述する光ディスク４１４に記録されている場合、光ディスクドライブ４１５などから印刷情報処理装置１２０に取得されてもよい。
【００６７】
ここで、Ｉ／Ｆ４０９が無線通信をおこなう通信モジュールによって構成される場合、通信の媒体となる通信ケーブル４１０などのワイヤ線は不要となり、電波や赤外線、超音波などを用いて各種情報の送受信がおこなわれる。このような無線通信を可能とする規格には、たとえば無線ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＨｏｍｅＲＦ（Ｈｏｍｅ  Ｒａｄｉｏ  Ｆｒｅｑｕｅｎｃｙ）、ＢｌｕｅＴｏｏｔｈなどの各種の技術があるが、本実施の形態においては公知の各種の無線通信技術を利用することができる。
【００６８】
キーボード４１１は、文字、数値、各種指示などの入力のための複数のキーを備えて構成され、操作者（ユーザ）によって入力操作された情報（以下、「入力情報」とする）をＣＰＵ４０１に対して出力する。マウス４１２は、各種指示の選択や実行、処理対象の選択、カーソルの移動などをおこなうデバイスであり、キーボード４１１と同様に操作者（ユーザ）による入力情報をＣＰＵ４０１に対して出力する。
【００６９】
なお、これらキーボード４１１およびマウス４１２のように、操作者（ユーザ）による入力情報をＣＰＵ４０１に対して出力するものとしては、物理的な押下／非押下を検出する押しボタン式スイッチ、タッチパネル、ジョイスティックおよびトラックボールなどの公知の各種形態を採用するようにしてもよい。また、外部からの音声を入力するマイクロフォンを用いて、音声認識によって入力情報をＣＰＵ４０１に対して出力するようにしてもよい。
【００７０】
ここで、操作者（ユーザ）による入力情報をＣＰＵ４０１に対して出力するものとして、タッチパネルを採用する場合、タッチパネルはディスプレイ４０８の表示画面側に積層して使用される形態とすればよい。この場合、ディスプレイ４０８における各種情報の表示タイミングとタッチパネルに対する操作タイミングおよびその位置座標とを管理することによって、入力情報を認識することができる。このように、タッチパネルを採用することにより、たとえば印刷情報処理装置１２０の小型化を図りつつ多くの情報入力操作をおこなうことが可能となる。なお、タッチパネルとしては、抵抗膜式や感圧式などの公知の各種タッチパネルを用いることができる。
【００７１】
スキャナ４１３は、紙などから文字や図形、画像などを光学的に読み取って、画像データとして入力するデバイスであり、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのセンサを備えたフラットヘッドスキャナやハンディスキャナにより構成される。
【００７２】
光ディスク４１４は、可搬性を有し、光ディスクドライブ４１５に対して着脱可能な記録媒体であり、たとえば印刷サービスに用いる複数のテンプレートを記録するとともに、これらのテンプレートに関連付けられた識別子を記録する。また、光ディスク４１４は、写真などの画像データや印刷情報処理プログラムなどの各種情報を記録する。
【００７３】
光ディスクドライブ４１５は、ＣＰＵ４０１の制御命令にしたがって、光ディスク４１４に対する情報の読み取り／書き込みをおこなう。したがって、光ディスク４１４にテンプレートおよび識別子が記録されている場合、光ディスクドライブ４１５は、テンプレートを取得するテンプレート取得手段の機能を実現する。なお、テンプレートは、Ｉ／Ｆ４０９を介して外部のサーバなどから印刷情報処理装置１２０に取得されてもよい。
【００７４】
ここで、光ディスク４１４が、たとえばＣＤ−ＲＯＭ（ＣＤ−Ｒ、ＣＤ−ＲＷ）である場合、光ディスクドライブ４１５はＣＤ−ＲＯＭドライブなどによって実現される。なお、ＣＤ−ＲＯＭドライブについては、公知の技術であるため、図示および説明を省略する。また、光ディスク４１４に代わる記録媒体を採用した場合は、光ディスクドライブ４１５は、採用された記録媒体の少なくとも読み取りが可能なドライブ装置によって構成されるとよい。つぎに、たとえば光ディスク４１４に記録されたテンプレートのデータ構成について説明する。
【００７５】
（印刷情報処理装置の印刷情報処理手順）
図５は、本実施の形態の印刷情報処理装置の印刷情報処理手順の一例を示すフローチャートである。図５を参照して、以下に本実施の形態における印刷情報処理手順について説明する。図５に示すフローチャートにおいて、まず、操作者からの印刷指示があったか否かを判断する（ステップＳ５０１）。ここで、印刷指示があるのを待って、印刷指示があった場合（ステップＳ５０１：Ｙｅｓ）は、つぎに、印刷対象の画像を取得したか否かを判断する（ステップＳ５０２）。
【００７６】
印刷対象の画像は、操作者からの指示によって、図示を省略するデジタルカメラによって撮影されることによって画像を取得してもよく、スキャナ４１３によって読み取れることによって取得してもよく、ＨＤ４０５に記憶されている画像データを読み出してもよく、光ディスク４１４に記録されている画像データを読み出してもよく、ネットワークから、Ｉ／Ｆ４０９を介して取得してもよい。
【００７７】
ステップＳ５０２において、印刷対象の画像が取得されるのを待って、印刷対象の画像が取得された場合（ステップＳ５０２：Ｙｅｓ）は、つぎに、当該画像の印刷が拡大印刷になるか否かを判断する（ステップＳ５０３）。拡大印刷になるか否かは、印刷対象の画像と操作者によって指定された印刷画像のサイズから判断する。テンプレートを用いる場合は、テンプレートにおける画像のサイズがあらかじめわかっているので、そのサイズに基づいて判断する。ここで、拡大印刷にはならない場合、すなわち、等倍印刷の場合あるいは縮小印刷の場合（ステップＳ５０３：Ｎｏ）は、通常の印刷処理へ移行する。
【００７８】
ステップＳ５０３において、拡大印刷になる場合（ステップＳ５０３：Ｙｅｓ）は、拡大された画像の解像度を算出する（ステップＳ５０４）とともに、対応基準解像度を決定し（ステップＳ５０５）、決定された対応基準解像度情報を取得する（ステップＳ５０６）。ステップＳ５０４と、ステップＳ５０５−Ｓ５０６とは、どちらが先におこなわれてもよい。解像度の算出方法については上述のとおりであるので、その説明は省略する。
【００７９】
つぎに、ステップＳ５０４で算出された解像度と対応基準解像度とを比較して、算出された解像度が対応基準解像度を下回るか否かを判断する（ステップＳ５０７）。ここで、算出された解像度が対応基準解像度を下回らない場合、すなわち、算出された解像度が対応基準解像度と同じか高い場合（ステップＳ５０７：Ｎｏ）は、通常の印刷処理へ移行する。一方、算出された解像度が対応基準解像度を下回る場合（ステップＳ５０７：Ｙｅｓ）は、警告画面（具体的には、たとえば後述する図６に示す警告画面６００）を表示する（ステップＳ５０８）。
【００８０】
図６は、警告画面の一例を示す説明図である。図６において、警告画面６００には、『印刷品質が低下する可能性があります。印刷を続けますか？』というメッセージを表示するとともに、『印刷継続』ボタン６０１と『印刷中止』ボタン６０２とを表示する。
【００８１】
図５のステップＳ５０９において、操作者からの確認指示があったか否かを判断する。具体的には、たとえば図６に示した警告表示６００の『印刷継続』ボタン６０１あるいは『印刷中止』ボタン６０２のいずれかのボタンが押下されたことによって、確認指示があったと判断することができる。ステップＳ５０９において、確認指示があるのを待って、確認指示があった場合（ステップＳ５０９：Ｙｅｓ）は、警告画面（具体的には、たとえば後述する図６に示す警告画面６００）を消去する（ステップＳ５１０）。
【００８２】
そして、確認指示が印刷指示であったか否かを判断する（ステップＳ５１１）。具体的には、たとえば図６に示した警告表示６００の『印刷継続』ボタン６０１が押下された場合は、印刷指示であると判断することができる。一方、『印刷中止』ボタン６０２が押下された場合は、印刷指示ではないと判断することができる。ステップＳ５１１において、印刷指示である場合（ステップＳ５１１：Ｙｅｓ）は、通常の印刷処理へ移行する。一方、印刷指示でない（印刷中止指示である）場合（ステップＳ５１１：Ｎｏ）は、一連の処理を終了する。
【００８３】
図７は、本実施の形態の印刷情報処理装置の印刷情報処理手順の別の一例を示すフローチャートである。図７を参照して、以下に本実施の形態における印刷情報処理手順について説明する。図７のフローチャートにおいて、図５のフローチャートのステップＳ５１１において、印刷指示であった場合（ステップＳ５１１：Ｙｅｓ）は、印刷処理に移行し、その後、印刷処理が終了したか否かを判断する（ステップＳ７０１）。ここで、印刷処理が終了するのを待って、印刷処理が終了した場合（ステップＳ７０１：Ｙｅｓ）は、画質確認画面（具体的には、たとえば後述する図８に示す画質確認画面８００）を表示する（ステップＳ７０２）。
【００８４】
図８は、画質確認画面の一例を示す説明図である。図８において、画質確認画面８００には、『印刷された画質で満足ですか？』というメッセージを表示するとともに、『満足』ボタン８０１と『不満』ボタン８０２とを表示する。
【００８５】
図７のステップＳ７０３において、操作者からの確認指示があったか否かを判断する。具体的には、たとえば図８に示した警告表示８００の『満足』ボタン８０１あるいは『不満』ボタン８０２のいずれかのボタンが押下されたことによって、確認指示があったと判断することができる。ステップＳ７０３において、確認指示があるのを待って、確認指示があった場合（ステップＳ７０３：Ｙｅｓ）は、画質確認画面８００を消去する（ステップＳ７０４）。
【００８６】
そして、確認指示が満足指示であったか否かを判断する（ステップＳ７０５）。具体的には、たとえば図８に示した画質確認画面８００の『満足』ボタン８０１が押下された場合は、満足指示であると判断することができる。一方、『不満』ボタン８０２が押下された場合は、満足指示ではないと判断することができる。ステップＳ７０５において、満足指示である場合（ステップＳ７０５：Ｙｅｓ）は、算出された解像度を基準解像度として、基準解像度記憶部３００に記憶されている基準解像度を更新し（ステップＳ７０６）、その後、一連の処理を終了する。
【００８７】
ステップＳ７０５において、満足指示でない場合（ステップＳ７０５：Ｎｏ）は、つぎに、やり直し確認画面（具体的には、たとえば後述する図９に示すやり直し確認画面９００）を表示する（ステップＳ７０７）。
【００８８】
図９は、やり直し確認画面の一例を示す説明図である。図９において、やり直し確認画面９００には、『やり直しますか？』というメッセージを表示するとともに、『やり直し』ボタン９０１と『終了』ボタン９０２とを表示する。
【００８９】
図７のステップＳ７０８において、操作者からの確認指示があったか否かを判断する。具体的には、たとえば図９に示したやり直し確認画面９００の『やり直し』ボタン９０１あるいは『終了』ボタン９０２のいずれかのボタンが押下されたことによって、確認指示があったと判断することができる。ステップＳ７０８において、確認指示があるのを待って、確認指示があった場合（ステップＳ７０８：Ｙｅｓ）は、やり直し確認画面９００を表示する（ステップＳ７０９）。
【００９０】
そして、確認指示がやり直し指示であったか否かを判断する（ステップＳ７１０）。具体的には、たとえば図９に示したやり直し確認画面９００の『やり直し』ボタン９０１が押下された場合は、やり直し指示であると判断することができる。一方、『終了』ボタン９０２が押下された場合は、やり直し指示ではないと判断することができる。ステップＳ７１０において、やり直し指示である場合（ステップＳ７１０：Ｙｅｓ）は、図５のフローチャートに示したステップＳ５０３へ移行し、以後同様の処理を繰り返しおこなう。一方、やり直し指示でない場合（ステップＳ７１０：Ｎｏ）は、何もせずに、一連の処理を終了する。
【００９１】
（管理画面の一例）
図１０は、印刷ドライバの設定処理をおこなうための管理画面の一例を示す説明図である。管理画面１０００には、印刷ジョブの作成に伴う管理をおこなうジョブ管理画面へ移行するための『ジョブ管理』ボタン１００１と、環境設定をおこなうための環境設定画面へ移行するための『環境設定』ボタン１００２と、操作者（ユーザ）管理をおこなうためのユーザ管理画面へ移行するための『ユーザ管理』ボタン１００３と、マニュアルを表示するための『マニュアル表示』ボタン１００４と、設定処理を終了するための『終了』ボタン１００５と、図示を省略するトップメニュー画面へ戻るための『トップメニュー画面へ戻る』ボタン１００６とが設けられている。
【００９２】
つぎに、操作者（ユーザ）による入力操作がおこなわれ、表示した管理画面１０００の『環境設定』ボタン１００２が押下されると、ＣＰＵ４０１によって、ディスプレイ４０８の表示画面上に環境設定画面（具体的には、たとえば図１１に示す環境設定定画面１１００）を表示する）。ここで、印刷ドライバの設定処理をおこなうための環境設定画面１１００について説明する。
【００９３】
図１１は、印刷ドライバの設定処理をおこなうための環境設定画面の一例を示す説明図である。環境設定画面１１００には、メディアの設定をおこなうための『メディア設定』タブ１１０１と、印刷サービスの設定をおこなうための『サービス設定』タブ１１０２と、その他の設定をおこなうための『その他の設定』タブ１１０３とが設けられている。
【００９４】
図１１に示すように、『その他の設定』タブ１１０３における、解像度チェック欄において、チェックボックス１１０４は、印刷解像度が設定された値になるとき警告を表示するためのものであり、このチェックボックス１１０４をチェックすることによって、警告表示がなされる。したがって、このチェックボックス１１０４をチェックしない場合には、印刷解像度が設定された値になっても警告表示はなされない。解像度入力欄１１０５には、大判（短辺が３２７ｍｍ（ミリメートル）／１３ｉｎｃ（インチ）超えるもの）の場合の基準解像度の数値を入力する。デフォルト値として「７０（ｄｐｉ）」が入力されており、そのデフォルト値を操作者（ユーザ）が手動にて変更することができる。
【００９５】
同様に解像度入力欄１１０６は、中小判（短辺が３２７ｍｍ（ミリメートル）／１３ｉｎｃ（インチ）以下のもの）の場合の基準解像度の数値を入力する。デフォルト値として「１３０（ｄｐｉ）」が入力されており、そのデフォルト値を操作者（ユーザ）が手動にて変更することができる。図１１にあっては、２種類のサイズについてそれぞれ入力欄を設けたが、２種類には限定されず、３種類以上であってもよい。数値の変更後、右下の『ＯＫ』ボタン１１０７を押下することによって、基準解像度の変更が完了する。
【００９６】
以上説明したように、本発明の実施の形態の印刷情報処理装置によれば、印刷される画像のサイズに基づいてあらかじめ定められた複数の基準解像度を記憶する基準解像度記憶部３００と、印刷の対象とする画像を拡大して印刷する際の、画像のサイズに関する情報の入力を受け付ける画像サイズ入力部３０１と、印刷の対象とする画像を入力された画像のサイズにした場合の当該画像の解像度を算出する解像度算出部３０２と、解像度算出部３０２によって算出された解像度と、複数の基準解像度のうち、画像サイズ入力部３０１によって入力された画像のサイズに対応する基準解像度（対応基準解像度）と、を比較する解像度比較部３０３と、解像度比較部３０３によって比較された結果、解像度算出部３０２によって算出された解像度が、対応基準解像度を下回る場合に、操作者に対して告知する告知部３０４と、を備える。
【００９７】
また、基準解像度記憶部３００は、同一の画像のサイズごとに、さらに印刷用紙の種類に基づいてあらかじめ定められた複数の基準解像度を記憶し、解像度比較部３０３は、解像度算出部３０２によって算出された解像度と、画像のサイズおよび印刷用紙の種類に対応する基準解像度（対応基準解像度）と、を比較する。
【００９８】
また、基準解像度記憶部３００は、同一の画像のサイズごとに、さらに当該画像の内容に基づいてあらかじめ定められた複数の基準解像度を記憶し、解像度比較部３０３は、解像度算出部３０２によって算出された解像度と、画像のサイズおよび画像の内容に対応する基準解像度（対応基準解像度）と、を比較する。
【００９９】
また、基準解像度記憶部３００は、同一の画像のサイズごとに、さらに当該画像の生成工程に基づいてあらかじめ定められた複数の基準解像度を記憶し、解像度比較部３０３は、解像度算出部３０２によって算出された解像度と、画像のサイズおよび撮影装置の種類に対応する基準解像度（対応基準解像度）と、を比較する。
【０１００】
また、印刷される画像のサイズに基づいてあらかじめ定められた複数の基準解像度を記憶する基準解像度記憶部３００と、印刷の対象とする画像を拡大して印刷する際の、印刷用紙のサイズに関する情報の入力を受け付ける印刷用紙サイズ入力部３１１と、印刷の対象とする画像を入力された印刷用紙のサイズにした場合の当該画像の解像度を算出する解像度算出部３０２と、解像度算出部３０２によって算出された解像度と、複数の基準解像度のうち、印刷用紙サイズ入力部３１１によって入力された印刷用紙のサイズに対応する基準解像度（対応基準解像度）と、を比較する解像度比較部３０３と、解像度比較部３０３によって比較された結果、解像度算出部３０２によって算出された解像度が、対応基準解像度を下回る場合に、操作者に対して告知する告知部３０４と、を備えている。
【０１０１】
また、基準解像度記憶部３００は、同一の印刷用紙のサイズごとに、さらに印刷用紙の種類に基づいてあらかじめ定められた複数の基準解像度を記憶し、解像度比較部３０３は、解像度算出部３０２によって算出された解像度と、印刷用紙のサイズおよび印刷用紙の種類に対応する基準解像度（対応基準解像度）と、を比較する。
【０１０２】
また、基準解像度記憶部３００は、同一の印刷用紙のサイズごとに、さらに当該画像の内容に基づいてあらかじめ定められた複数の基準解像度を記憶し、解像度比較部３０３は、解像度算出部３０２によって算出された解像度と、印刷用紙のサイズおよび画像の内容に対応する基準解像度（対応基準解像度）と、を比較する。
【０１０３】
また、基準解像度記憶部３００は、同一の印刷用紙のサイズごとに、さらに当該画像の生成工程に基づいてあらかじめ定められた複数の基準解像度を記憶し、解像度比較部３０３は、解像度算出部３０２によって算出された解像度と、印刷用紙のサイズおよび撮影装置の種類に対応する基準解像度（対応基準解像度）と、を比較する。
【０１０４】
また、基準解像度を変更する基準解像度変更部３０５を備え、基準解像度記憶部３００は、基準解像度変更部３０５によって変更された基準解像度を記憶する。
【０１０５】
これによって、画像の加工印刷をする場合に、印刷品質が低下した無駄な印刷をすることなく、適切な印刷品質を保証して印刷することが可能となる。その際も、画像のサイズなどに応じた適切な印刷品質の保証をするので、加工の自由度を向上させることができる。
【０１０６】
なお、本実施の形態で説明した印刷情報処理方法は、あらかじめ用意されたプログラムを、たとえば印刷情報処理装置に組み込まれたコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１０７】
【図１】印刷情報処理装置を備える印刷システムの概略構成の一例を示す構成図。
【図２】大規模印刷システムの概略構成の一例を示す構成図。
【図３−１】印刷情報処理装置の機能的構成の一例を示す説明図。
【図３−２】印刷情報処理装置の機能的構成の別の一例を示す説明図。
【図４】印刷情報処理装置のハードウェア構成の一例を示す説明図。
【図５】印刷情報処理装置の印刷情報処理手順の一例を示すフローチャート。
【図６】警告画面の一例を示す説明図。
【図７】印刷情報処理装置の印刷情報処理手順の一例を示すフローチャート。
【図８】画質確認画面の一例を示す説明図。
【図９】やり直し確認画面の一例を示す説明図。
【図１０】管理画面の一例を示す説明図。
【図１１】環境設定画面の一例を示す説明図。
【符号の説明】
【０１０８】
１００，１１０  印刷システム、１１１，２１１  ローカルネットワーク、１１２  グローバルネットワーク、１１３，２１３  ファイアウォール、１１４，２１４  プリンタ、１２０，１２０ａ〜１２０ｃ  印刷情報処理装置、２００  大規模印刷システム、２２０  印刷ジョブ管理装置、４００  バス、４０１  ＣＰＵ、４０２  ＲＯＭ、４０３  ＲＡＭ、４０４  ＨＤＤ、４０５  ＨＤ、４０６  ＦＤＤ、４０７  ＦＤ、４０８  ディスプレイ、４０９  Ｉ／Ｆ、４１０  通信ケーブル、４１１  キーボード、４１２  マウス、４１３  スキャナ、４１４  光ディスク、４１５  光ディスクドライブ、１０００  管理画面、１１００  環境設定画面、１１０５，１１０６  解像度入力欄
【図１】
2007065720.tif 000003
【図２】
2007065720.tif 000004
【図３−１】
2007065720.tif 000005
【図３−２】
2007065720.tif 000006
【図４】
2007065720.tif 000007
【図５】
2007065720.tif 000008
【図６】
2007065720.tif 000009
【図７】
2007065720.tif 000010
【図８】
2007065720.tif 000011
【図９】
2007065720.tif 000012
【図１０】
2007065720.tif 000013
【図１１】
2007065720.tif 000014